(57)【要約】      （修正有）【課題】踏切内外から踏切支障警報装置操作器の存在を認識することができる非常ボタン表示装置を提供する。【解決手段】警報機柱２０に取り付けられた踏切支障警報装置操作器２１の存在を表示する非常ボタン表示装置１であって、断面矩形状の筒状に形成された本体部２と、本体部の外側の４つ側面に設けられた、警報装置操作器の存在を示す表示部２ａ，２ｂ，２ｃ，２ｄと、本体部の内部に設けられた、本体部を警報機柱に取り付けるための取付け手段を備える。【選択図】図２
0003190715.tif 000002
【実用新案登録請求の範囲】
【請求項１】
警報機柱に取り付けられた踏切支障警報装置操作器の存在を表示する非常ボタン表示装置であって、
断面矩形状の筒状に形成された本体部と、
前記本体部の外側の４つ側面に設けられた、警報装置操作器の存在を示す表示部と、
前記本体部の内部に設けられた、前記本体部を警報機柱に取り付けるための取付け手段を備え、
踏切の内外から警報装置操作器の存在が認識されることを特徴としている。
【請求項２】
前記本体部は、
断面形状がコ字状の第１部材と、
前記第１部材の開放面を塞ぐ、平板状の第２部材と、
を備え、
前記第２部材の両側には立ち上がり部が形成され、各立ち上がり部が前記第１部材の側面に螺合することにより、断面が矩形形状の前記本体部が形成されることを特徴とする請求項１記載の非常ボタン表示装置。
【請求項３】
前記取付け手段は、
前記第２部材の内面に固定された固定部材と、
前記固定部材に取り付けられ、前記警報機柱に前記本体部を取り付けるための取付けリングと、
を備え、
前記固定部材は、
先端部が屈曲し、くの字形状に形成されると共に、前記先端部には前記取付けリングが係止される開口部が設けられ、
前記取付けリングは、
一端部が開放された略円形状に形成され、
開放された前記一端部には、前記開口部に係止される係止部が設けられ、
前記係止部の反対側位置には、外方に突出した相対向する面からなり、前記相対向する面にはねじ孔が設けられ、前記ねじの螺合により相対向する面間の距離を短くすることにより、前記取付けリングの径を縮径する締結部が形成され、
前記固定部材の開口部、及び前記締結部が、本体部の対角線に位置するように配置されると共に、前記固定部材に取付けられた取付けリングの外周面の一部が、前記固定部材に接するように構成されていることを特徴とする請求項２記載の非常ボタン表示装置。
【請求項４】
前記取付け手段は、
前記第２部材の内面に固定された固定部材と、前記固定部材に取り付けられ、前記警報機柱に前記本体部を取り付けるための取付けリングと、
を備え、
前記固定部材は、
断面が凸形状の長尺状に形成され、前記凸形状の上部平面には軸線方向に延設された開口部が設けられ、
前記取付けリングは、
Ｕ字形状に形成され、前記Ｕ字形状の両端部には、水平に延設されたねじ孔を有する水平部が設けられ、前記水平部の先端部には、前記水平部から下方に延設された脚部が設けられ、
前記脚部は、前記上部平面上に配置され、前記水平部材が、前記開口部を介してねじによって固定部材に固定された際、前記水平部が水平状態から斜めに変形するように構成されていることを特徴とする請求項２記載の非常ボタン表示装置。
【請求項５】
前記表示部が、前記本体部の外側の４つ側面に反射シートを貼着することにより形成されることを特徴とする請求項１乃至請求項４のいずれかに記載の非常ボタン表示装置。
【考案の詳細な説明】
【技術分野】
【０００１】
本考案は、非常ボタン表示装置に関し、踏切内で緊急時に使用する踏切支障警報装置操作器を踏切内外から視認可能な非常ボタン表示装置に関する。
【背景技術】
【０００２】
従来から、図９に示すように、鉄道踏切内Ａで緊急事態が発生した時に、列車との衝突を防止するために、遮断機Ｂに隣接して設けられた警報機柱２０に、踏切支障警報装置操作器２１（以下、操作器と称する）が取り付けられている。
また、前記警報機柱２０の操作器２１の上方には、前記操作器２１の存在を認識させるための非常ボタン表示板２２が取り付けられている。
【０００３】
この非常ボタン表示板２２には、その一面に、例えば「緊急時には、非常ボタンを強く押してください」との表示がなされている。
前記警報機柱２は踏切外に設けられ、前記非常ボタン表示板２２の前記表示は、踏切内に入る者（踏切の手前にいる者）に見えるように設けられている。
【考案の概要】
【考案が解決しようとする課題】
【０００４】
ところで、前記したように、前記警報機柱は踏切外に設けられ、前記非常ボタン表示板の前記表示は、踏切内に入る者に見えるように設けられているため、踏切内に入った者は、前記非常ボタン表示板の裏面側を見るため、前記表示を視認できず、操作器の存在を認識することが困難であった。
【０００５】
また、踏切に進入する手前の道路が、道路事情により、直角または二差路、三差路の場合があり、前記非常ボタン表示板の一面になされた表示が視認することができない場合があった。
このような非常ボタン表示板を視認することができないために、操作器の存在を認識できず、重大な事故を引き起こす虞があった。
【０００６】
本考案は、上記技術的課題を解決するためになされたものであり、踏切内外から踏切支障警報装置操作器の存在を認識することができる非常ボタン表示装置を提供することを目的とする。
また、前記警報機柱に対して、容易に取り付けることができる非常ボタン表示装置を提供することを目的とする。
【課題を解決するための手段】
【０００７】
本考案にかかる非常ボタン表示装置は、警報機柱に取り付けられた踏切支障警報装置操作器の存在を表示する非常ボタン表示装置であって、断面矩形状の筒状に形成された本体部と、前記本体部の外側の４つ側面に設けられた、警報装置操作器の存在を示す表示部と、前記本体部の内部に設けられた、前記本体部を警報機柱に取り付けるための取付け手段を備え、踏切の内外から警報装置操作器の存在が認識されることを特徴としている。
【０００８】
このように、非常ボタン表示装置の本体部の外側の４つ側面に、警報装置操作器の存在を示す表示部が設けられているため、踏切の内外から警報装置操作器の存在が認識することができ、また踏切に進入する手前の道路が直角または二差路、三差路の場合であっても、操作器の存在を認識することができる。
【０００９】
ここで、前記本体部は、断面形状がコ字状の第１部材と、前記第１部材の開放面を塞ぐ、平板状の第２部材と、を備え、前記第２部材の両側には立ち上がり部が形成され、各立ち上がり部が前記第１部材の側面に螺合することにより、断面が矩形形状の前記本体部が形成されることが望ましい。
このような構成になすことにより、容易に本体部を形成することができる。
しかも、平板状の第２部材を警報機柱に取り付けた後に、第１部材を第２部材に取付け、本体部を形成することができるため、警報機柱に対して、非常ボタン表示装置を容易に取り付けることができる。
【００１０】
また、前記取付け手段は、前記第２部材の内面に固定された固定部材と、前記固定部材に取り付けられ、前記警報機柱に前記本体部を取り付けるための取付けリングとを備え、前記固定部材は、先端部が屈曲し、くの字形状に形成されると共に、前記先端部には前記取付けリングが係止される開口部が設けられ、前記取付けリングは、一端部が開放された略円形状に形成され、開放された前記一端部には、前記開口部に係止される係止部が設けられ、前記係止部の反対側位置には、外方に突出した相対向する面からなり、前記相対向する面にはねじ孔が設けられ、前記ねじの螺合により相対向する面間の距離を短くすることにより、前記取付けリングの径を縮径する締結部が形成され、前記固定部材の開口部、及び前記締結部が、本体部の対角線に位置するように配置されると共に、前記固定部材に取付けられた取付けリングの外周面の一部が、前記固定部材に接するように構成されていることが望ましい。
【００１１】
このように構成されているため、取付けリングは、固定部材に対して２点で接している（支持されている）ため、開口部の１点での支持に比べて、確実に取付けリングを支持することができる。
また、前記取付けリングの径を可変することができるため、異なる径を有する警報機柱に取り付けることができる。また、前記警報機柱に対して容易に取り付けることができる。
【００１２】
また、前記取付け手段は、前記第２部材の内面に固定された固定部材と、前記固定部材に取り付けられ、前記警報機柱に前記本体部を取り付けるための取付けリングとを備え、前記固定部材は、断面が凸形状の長尺状に形成され、前記凸形状の上部平面には軸線方向に延設された開口部が設けられ、前記取付けリングは、Ｕ字形状に形成され、前記Ｕ字形状の両端部には、水平に延設されたねじ孔を有する水平部が設けられ、前記水平部の先端部には、前記水平部から下方に延設された脚部が設けられ、前記脚部は、前記上部平面上に配置され、前記水平部材が、前記開口部を介してねじによって固定部材に固定された際、前記水平部が水平状態から斜めに変形するように構成されていることが望ましい。
【００１３】
このように構成されているため、前記水平部が水平状態から斜めに変形し、前記水平部の反発力によって取付けねじの緩みが防止される。また、前記取付けリングの固定位置を、固定部材の開口部の延設方向に移動させることができ、本体部と警報機柱と位置関係を可変することができる。
【００１４】
また、前記表示部は、前記本体部の外側の４つ側面に反射シートを貼着することにより形成されることが望ましい。
このように反射シートが用いられている場合には、夜間においても表示を明確に視認することができ、操作器の存在を認識することができる。
【考案の効果】
【００１５】
本考案によれば、踏切内外から踏切支障警報装置操作器の存在を認識することができる非常ボタン表示装置を得ることができる。また、前記警報機柱に対して、容易に取り付けることができる非常ボタン表示装置を得ることができる。
【図面の簡単な説明】
【００１６】
【図１】図１は、本発明の第１の実施形態にかかる非常ボタン表示装置を示す斜視図である。
【図２】図２は、図１に示した非常ボタン表示装置の分解斜視図である。
【図３】図３は、図１に示した非常ボタン表示装置の平面図である。
【図４】図４は、固定部材を示す図であって、（ａ）は側面図、（ｂ）は平面図である。
【図５】図５は、取付けリングを示す図であって、（ａ）は平面図、（ｂ）は側面図である。
【図６】図６は、本発明の第２の実施形態にかかる非常ボタン表示装置を示す図であって、（ａ）は平面図、（ｂ）は正面図、（ｃ）は側面図である。
【図７】図７は、図６に示した非常ボタン表示装置の取付けリングと、取付けリングを固定するための固定部材を示す斜視図である。
【図８】図８は、図６に示した非常ボタン表示装置の取付けリングを示す図であって、（ａ）は正面図、（ｂ）は平面図である。
【図９】図９は、従来の非常ボタン表示装置を示す図である。
【考案を実施するための形態】
【００１７】
本発明の第１の実施形態にかかる非常ボタン表示装置について、図１乃至図５に基づいて説明する。
図２に示すように、非常ボタン表示装置１が、警報機柱２０に取り付けられている。前記非常ボタン表示装置１は、従来と同様に、前記警報機柱の２０に取り付けられた踏切支障警報装置操作器２１の上方に取り付けられている。
【００１８】
前記非常ボタン表示装置１は、断面矩形状の筒状に形成された本体部２を備え、前記本体部２の外側の４つの面２ａ，２ｂ，２ｃ，２ｄは、例えば、「非常ボタン」が下方に存在する旨の表示がなされた表示部とされている。
また、前記表示部（４つの面２ａ，２ｂ，２ｃ，２ｄ）には反射シートが貼着され、わずかな光によっても、視認できるよう形成されている。
【００１９】
また、前記本体部２は、図１に示すように、断面形状がコ字状の第１部材３と、前記第１部材２の開放面を塞ぐ、平板状の第２部材４とを備えている。
前記第１部材３の相対向する各側面には、上下方向に三つのねじ孔３ａが形成されている。また前記第２部材４の両側には、立ち上がり部４ａ、４ｂが形成され、各立ち上がり部４ａ、４ｂには、上下方向に三つのねじ孔４ｃが形成されている。
【００２０】
前記ねじ孔３ａと、前記ねじ孔４ｃは、対応する位置に形成され、前記第１部材３と前記第２部材４が組み合わせられた際、前記第１部材３の外側からねじ（図示せず）を螺合することにより、前記第１部材３と前記第２部材４を一体になし、断面形状が矩形形状の本体部２が形成されるように構成されている。
【００２１】
また、平板状の第２部材４の内面には、本体部２を警報機柱２０に取り付けるための取付けリング５を、平板状の第２部材４に固定するための固定部材６が設けられている。
この固定部材６は、図３、図４に示すように、本体部６ａから屈曲した先端部６ｂを有し、全体として、くの字形状に形成されている。また、前記先端部６ｂには取付けリング５が係止される開口部６ｃが設けられている。
【００２２】
前記本体部６ａは、平板状の第２部材４の内面に接着、あるいは溶接等の手段で固着されている。尚、平板状の第２部材４と前記本体部６ａを、ねじにより固定することも考えられるが、ねじの一部が第２部材４の外表面に露出するため、好ましくない。
【００２３】
また、図３に示すように、第２部材４の内面に固着された固定部材６の開口部６ｃが、本体部２の対角線ｌ上に略位置するように配置される。そして、前記固定部材６に取付けられた取付けリング５の外周面の一部が、前記固定部材６の本体部６ａに接する（接点Ｘ）ように構成されている。
このように構成されているため、取付けリング５は、固定部材６に対して２点で接している（支持されている）ため、開口部６ｃの１点での支持に比べて、確実に取付けリング５を支持することができる。
【００２４】
次に取付けリング５について、図３、図５に基づいて説明する。
この取付けリング５は、図５に示すように一端部が開放され、全体として円形状に形成されており、その内部５ａに警報機柱２０が挿入できるように構成されている。
前記開放された一端部には、前記開口部６ｃに係止される係止部５ｂ１，５ｂ２が設けられている。
【００２５】
また、前記取付けリング５の前記係止部５ｂ１，５ｂ２の対向する位置には、外方に突出した締結部５ｃが形成されている。この締結部５ｃは相対向する面５ｃ１，５ｃ２が設けられ、前記面５ｃ１，５ｃ２にはねじ孔５ｄ１，５ｄ２が設けられている。
そして、図３に示すように、前記ねじ孔５ｄ１，５ｄ２にねじ７を挿入し、一方の面の外側にナット８を配置し、両者を螺合させることにより、相対向する面５ｃ１，５ｃ２の間の距離（寸法）を短くすることにより、前記取付けリング５を警報機柱２０に取り付ける。
このような取付けリング５を用いた場合には、直径が異なる警報機柱２０にも取り付けることができる。直径が異なる警報機柱２０ごとに対応する取付け部材を準備する必要がなく、コストを安価になすことができる。
【００２６】
このように、前記非常ボタン表示装置１は、断面矩形状の筒状に形成された本体部２外側の４つの面２ａ，２ｂ，２ｃ，２ｄに非常ボタンの表示をなすことができるため、踏切内、あるいは踏切に進入する手前の道路が直角または二差路、三差路の場合であっても、操作器２１の存在を認識することができる。また前記警報機柱２０に対して、容易に取り付けることができる。
【００２７】
次に、本発明の第２の実施形態にかかる非常ボタン表示装置について、図６乃至図７に基づいて説明する。
この非常ボタン表示装置１０は、断面矩形状の筒状に形成された本体部１１を備え、前記本体部１１の外側の４つの面１１ａ，１１ｂ，１１ｃ，１１ｄには、第１の実施形態と同様に、「非常ボタン」が下方に存在する旨の表示がなされている。また、前記表示は反射シートによって形成され、わずかな光によっても、視認できるよう形成されている。
【００２８】
また、前記本体部１１は、図６（ａ）に示すように、断面形状がコ字状の第１部材１２と、前記第１部材１２の開放面を塞ぐ、平板状の第２部材１３とを備えている。
前記第１部材１２の相対向する各側面には、上下方向に三つのねじ孔１２ａが形成されている。また前記第２部材１３の両側には、立ち上がり部１３ａ、１３ｂが形成され、各立ち上がり部１３ａ、１３ｂには、上下方向に三つのねじ孔１３ｃが形成されている。
【００２９】
前記ねじ孔１２ａと、前記ねじ孔１３ｃは、対応する位置に形成され、前記第１部材１２と前記第２部材１３が組み合わせられた際、前記第１部材１２外側からねじ（図示せず）を螺合することにより、前記第１部材１２と前記第２部材１３を一体になし、断面形状が矩形形状の本体部１１が形成されるように構成されている。
【００３０】
また、平板状の第２部材１３の内面には、本体部１１を警報機柱２０に取り付けるための取付けリング１４を、平板状の第２部材１３に固定するための固定部材１５が設けられている。
この固定部材１５は、図７に示すように、断面が凸形状の長尺状に形成され、前記凸形状の上部平面には軸線方向に延設された開口部１５ａが設けられている。
そして、ねじ１６を、この固定部材１５の内側から開口部１５ａ、取付けリング１４の水平部１４ａに形成されたねじ孔を介して、ナット１７に螺合させ、前記取付けリング１４を固定部材１５に固定する（取り付ける）ように構成されている。
尚、固定部材１５は、平板状の第２部材１３の内面に接着、あるいは溶接等の手段で固着されている。
【００３１】
次に取付けリング１４について、図８に基づいて説明する。
この取付けリング１４は、図８に示すように、全体としてＵ字形状に形成されており、その両端部には、水平に延設された水平部１４ａが設けられている。
また、前記水平部１４ａには、ねじ１６を挿通するねじ孔１４ｂが形成され、更に前記水平部１４ａの先端部には、前記水平部から下方に延設された脚部１４ｄが設けられている。
【００３２】
この水平部１４ａは、固定部材１５の上部平面１５ａ上に配置される。
そのため、ねじ１６によって固定部材１５に固定される際、前記水平部１４ａが水平状態から斜めに変形し、前記水平部１４ａの反発力により、ねじ１６の緩みが防止される。
また、開口部１５ａが固定部材１５の軸線方向に延設されているため、前記取付けリング１４の取り付け（固定）位置を、前記開口部１５ａの延設方向に移動することができ、本体部１１と警報機柱２０と位置関係を可変することができる。
例えば、警報機柱２０を中央にして本体部１１を取り付けた場合に、障害物により本体部１１（表示部）の表示が視認できない場合には、前記取付けリング１４を固定部材１５に対して移動させ、本体部１１の表示を視認できるようにすることができる。
【００３３】
このように、第２の実施形態の非常ボタン表示装置１０にあっても、断面矩形状の筒状に形成された本体部１１外側の４つの面１１ａ，１１ｂ，１１ｃ，１１ｄに非常ボタンの表示をなすことができるため、踏切内、あるいは踏切に進入する手前の道路が直角または二差路、三差路の場合であっても、操作器２１の存在を認識することができる。また前記警報機柱２１に対して、容易に取り付けることができる。
【００３４】
尚、上記第１、第２の実施形態を構成する部材の材質は特に限定されるものではないが、例えば、アルミ、合成樹脂等で形成されている場合には、錆を防止することができ、好ましい。
【符号の説明】
【００３５】
１        非常ボタン表示装置
２        本体部
３        第１部材
４        第２部材
４ａ      立ち上がり部
４ｂ      立ち上がり部
５        取付けリング
５ｂ１    係止部
５ｂ２    係止部
５ｃ      締結部
６        固定部材
６ｃ      開口部
７        ねじ
８        ナット
１０      非常ボタン表示装置
１１      本体部
１２      第１部材
１３      第２部材
１３ａ    立ち上がり部
１３ｂ    立ち上がり部
１４      取付けリング
１５      固定部材
１５ａ    開口部
１６      ねじ
１７      ナット
Ｘ        接点
【図１】
0003190715.tif 000003
【図２】
0003190715.tif 000004
【図３】
0003190715.tif 000005
【図４】
0003190715.tif 000006
【図５】
0003190715.tif 000007
【図６】
0003190715.tif 000008
【図７】
0003190715.tif 000009
【図８】
0003190715.tif 000010
【図９】
0003190715.tif 000011